(57)【特許請求の範囲】
【請求項１】
加入者情報を管理する加入者情報管理装置と携帯端末とを備えた移動体通信システムであって、
前記携帯端末は、
記録媒体の装着を検知する検知手段と、
該検知手段により２つ以上の記録媒体が検知された場合には、第１番目の記録媒体に対応する第１加入者識別情報、および新たに検知された記録媒体に対応する第２加入者識別情報を前記加入者情報管理装置に送信する送信手段とを備え、
前記加入者情報管理装置は、
前記携帯端末から、前記第１加入者識別情報、および前記第２加入者識別情報を受信する受信手段と、
前記第２加入者識別情報に対応する位置情報として、前記第１加入者識別情報の位置情報を登録する登録手段とを備えたことを特徴とする移動体通信システム。
【請求項２】
請求項１に記載の移動体通信システムであって、前記記録媒体はＳＩＭカードであることを特徴とする移動体通信システム。
【請求項３】
請求項１に記載の移動体通信システムであって、前記第１加入者識別情報は、前記第１番目の記録媒体に格納された加入者識別情報、または該加入者識別情報に対応する一時的加入者識別情報であり、前記第２加入者識別情報は、前記新たに検知された記録媒体に格納された加入者識別情報であることを特徴とする移動体通信システム。
【請求項４】
請求項１に記載の移動体通信システムであって、前記第１加入者識別情報および前記第２加入者識別情報は、それぞれの電話番号と対応づけられていることを特徴とする移動体通信システム。
【請求項５】
請求項１に記載の移動体通信システムであって、前記第１加入者識別情報および前記第２加入者識別情報は、それぞれのメールアドレスと対応づけられていることを特徴とする移動体通信システム。
【請求項６】
携帯端末であって、
記録媒体の装着を検知する検知手段と、
該検知手段により２つ以上の記録媒体が検知された場合には、第１番目の記録媒体に対応する第１加入者識別情報、および新たに検知された記録媒体に対応する第２加入者識別情報を、加入者情報を管理する加入者情報管理装置に送信する送信手段と
を備えたことを特徴とする携帯端末。
【請求項７】
携帯ネットワークシステムであって、
２つ以上の電話番号を有し、記録媒体の装着を検知する検知手段を含む携帯端末の通信状態を管理する管理手段であって、前記検知手段により２つ以上の記録媒体が検知された場合に前記携帯端末から送信された２つ以上の電話番号の情報を受信する管理手段と、
前記携帯端末に対して着信があった場合に、前記通信状態に基づいて、前記携帯端末が前記電話番号のいずれかで通信中か否かを判断する判断手段と、
前記携帯端末が前記電話番号のいずれかで通信中である場合には呼接続処理を行わず、前記携帯端末が前記電話番号のいずれにおいても通信中でない場合には呼接続処理を行う処理手段と
を備えたことを特徴とする携帯ネットワークシステム。
【請求項８】
加入者情報を管理する加入者情報管理装置と携帯端末とを備えた移動体通信システムの位置情報登録方法であって、
前記携帯端末において、記録媒体の装着を検知する検知ステップと、
該検知ステップにより２つ以上の記録媒体が検知された場合には、第１番目の記録媒体に対応する第１加入者識別情報、および新たに検知された記録媒体に対応する第２加入者識別情報を、前記携帯端末から前記加入者情報管理装置に送信する送信ステップと、
前記加入者情報管理装置において、前記第２加入者識別情報に対応する位置情報として、前記第１加入者識別情報の位置情報を登録する登録ステップと
を備えることを特徴とする位置情報登録方法。
【請求項９】
２つ以上の電話番号を有し、記録媒体の装着を検知する検知手段を含む携帯端末の通信状態を管理する管理手段であって、前記検知手段により２つ以上の記録媒体が検知された場合に前記携帯端末から送信された２つ以上の電話番号の情報を受信する管理手段を備えた携帯ネットワークシステムにおける呼制御方法であって、
前記携帯端末に対して着信があった場合に、前記通信状態に基づいて、前記携帯端末が前記電話番号のいずれかで通信中か否かを判断する判断ステップと、
前記携帯端末が前記電話番号のいずれかで通信中である場合には呼接続処理を行わず、前記携帯端末が前記電話番号のいずれにおいても通信中でない場合には呼接続処理を行う処理ステップと
を備えることを特徴とする呼制御方法。
【発明の詳細な説明】
【０００１】
【発明の属する技術分野】
本発明は、移動体通信システム、携帯端末、加入者情報管理装置、携帯ネットワークシステム、位置情報登録方法および呼制御方法に関し、より具体的には、携帯端末に複数の記録媒体（例えば、ＳＩＭカード）を装着し、複数の電話番号、メールアドレス等を用いて発着信を行うことができる移動体通信システム、携帯端末、加入者情報管理装置および位置情報登録方法、ならびにそのような携帯端末に関する呼制御を行う携帯ネットワークシステムおよび呼制御方法に関する。
【０００２】
【従来の技術】
ＳＩＭ（Ｓｕｂｓｃｒｉｂｅｒ  Ｉｄｅｎｔｉｔｙ  Ｍｏｄｕｌｅ）カードなどの加入者情報を格納した記録媒体であるＩＣカードと携帯端末が物理的に別であるシステムはＧＳＭで実現されている。また、現在ＧＳＭではＳＩＭカードはカード型とプラグイン型がある。
【０００３】
図１は、従来技術におけるＳＩＭカードを用いる携帯端末を使用する移動体通信システムの概念を示す図である。
【０００４】
移動体通信システムは、少なくとも、携帯端末１０と基地局ＢＳＳ２０と携帯ネットワーク（システム）３０とから構成される。携帯端末１０は、基地局ＢＳＳ２０と無線通信を行う機能を有し、それぞれ固有のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を格納した１つのＳＩＭカード１２を脱着可能に構成されている。基地局ＢＳＳ２０は、携帯ネットワーク３０に接続され、在圏する携帯端末１０と無線通信を行う機能を有する。携帯ネットワーク３０は、少なくとも、加入者系交換機ＭＳＣ４０とビジターロケーションレジスタＶＬＲ５０とホームロケーションレジスタＨＬＲ６０とから構成され、移動通信の回線交換またはパケット交換を行う機能を有する。携帯ネットワーク３０は、例えば、既存のＰＤＣ（Ｐｅｒｓｏｎａｌ  Ｄｉｇｉｔａｌ  Ｃｅｌｌｕｌａｒ）方式の携帯回線交換網や、ＰＤＣ−Ｐ（Ｐｅｒｓｏｎａｌ  Ｄｉｇｉｔａｌ  Ｃｅｌｌｕｌａｒ−Ｐａｃｋｅｔ）方式の携帯パケット交換網を利用してもよい。ただし、ＰＤＣおよびＰＤＣ−Ｐについては、ビジターロケーションレジスタＶＬＲの機能はホームロケーションレジスタＨＬＲの機能に含まれる。加入者系交換機ＭＳＣ４０は、移動体通信網における加入者系交換機である。ビジターロケーションレジスタＶＬＲ５０は、１つまたは２つ以上の加入者交換機の制御可能なエリアである在圏エリア内の携帯端末１０の制御に必要な加入者情報のデータベースである。ホームロケーションレジスタＨＬＲ６０は、各携帯端末１０のサービス契約に関する加入者情報を登録する原本となるデータベースである。
【０００５】
ここで、Ｂ個人がＡ法人契約のＳＩＭカード１２−１とＢ個人契約のＳＩＭカード１２−２の２枚のＳＩＭカード１２を所有している場合において、携帯端末１０−１にＳＩＭカード１２−１を装着して使用し、また携帯端末１０−２にＳＩＭカード１２−２を装着して使用している。また、携帯端末１０−１がＡ法人内の当該携帯ネットワークで設定している位置情報ＩＤ（ＬＡＩ：Ｌｏｃａｔｉｏｎ  Ａｒｅａ  Ｉｄｅｎｔｉｆｉｃａｔｉｏｎ）１のエリア内に存在しており、携帯端末１０−２が携帯端末１０−１とは別の当該携帯ネットワークで設定している位置情報ＩＤ２のエリア内に存在している。
【０００６】
図２は、従来技術におけるＨＬＲおよびＶＬＲの各データベースに格納されている情報を示す図である。ＨＬＲのデータベースには、少なくとも、電話番号と、加入者識別情報（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）と、携帯端末の在圏エリアの対象ＶＬＲとが格納されている。一方、ＶＬＲのデータベースには、少なくとも、電話番号と、ＶＬＲが管理する在圏エリアの加入者識別情報（ＩＭＳＩ）と、一時的加入者識別情報（ＴＭＳＩ：Ｔｅｍｐｏｒａｒｙ  Ｍｏｂｉｌｅ  Ｓｕｂｓｃｒｉｂｅｒ  Ｉｄｅｎｔｉｔｙ）と、位置情報ＩＤ（ＬＡＩ）と、通信状態とが格納されている。
【０００７】
例えば、図１に示す例においては、図２に示すようにデータベースに情報が格納される。
【０００８】
そして、携帯ネットワーク３０において、電話番号毎に通話記録（通話開始および終了時刻等）が一時保持され、その後携帯ネットワーク３０から料金システムに対して、電話番号と通話記録が送信されてそれぞれの電話番号毎に料金計算される。
【０００９】
【発明が解決しようとする課題】
しかし、従来の携帯端末１０では、複数のＳＩＭカード１２を同時に装着することができないため、例えば、法人契約のＳＩＭカード１２−１と個人契約ＳＩＭカード１２−２を使用する場合において、各ＳＩＭカード１２を入れ替えて使用するか、あるいは複数の携帯端末１０（例えば、法人資産の携帯端末１０−１と個人資産の携帯端末１０−２）を使い分ける必要があるという問題点がある。
【００１０】
また、電話番号の前に分計用の番号を付加して分計用の番号毎に明細書を発行することはＰＤＣ方式において実現しているが、発呼の度に特別な操作が必要となり、さらに本サービスを契約先の個人利用分を各々個人宅宛に請求することは実施していないため、契約先で個人利用分の料金を清算する必要があるという問題点がある。
【００１１】
本発明の目的は、上記問題点に鑑み、携帯端末に複数の記録媒体を装着し、複数の電話番号、メールアドレス等を用いて発着信を行うことができる移動体通信システム、携帯端末、加入者情報管理装置および位置情報登録方法を提供することにある。また、そのような携帯端末に関する呼制御を行う携帯ネットワークシステムおよび呼制御方法を提供することにある。
【００１２】
【課題を解決するための手段】
本発明の第１の側面において、本発明に係る移動体通信システムは、加入者情報を管理する加入者情報管理装置と携帯端末とを備えた移動体通信システムであって、前記携帯端末は、記録媒体の装着を検知する検知手段と、該検知手段により２つ以上の記録媒体が検知された場合には、第１番目の記録媒体に対応する第１加入者識別情報、および新たに検知された記録媒体に対応する第２加入者識別情報を前記加入者情報管理装置に送信する送信手段とを備え、前記加入者情報管理装置は、前記携帯端末から、前記第１加入者識別情報、および前記第２加入者識別情報を受信する受信手段と、前記第２加入者識別情報に対応する位置情報として、前記第１加入者識別情報の位置情報を登録する登録手段とを備える。
【００１３】
ここで、前記記録媒体はＳＩＭカードであるものとすることができる。
【００１４】
ここで、前記第１加入者識別情報は、前記第１番目の記録媒体に格納された加入者識別情報、または該加入者識別情報に対応する一時的加入者識別情報であり、前記第２加入者識別情報は、前記新たに検知された記録媒体に格納された加入者識別情報であるものとすることができる。
【００１５】
ここで、前記第１加入者識別情報および前記第２加入者識別情報は、それぞれの電話番号と対応づけられているものとすることができる。
【００１６】
ここで、前記第１加入者識別情報および前記第２加入者識別情報は、それぞれのメールアドレスと対応づけられているものとすることができる。
【００１７】
本発明の第２の側面において、本発明に係る携帯端末は、記録媒体の装着を検知する検知手段と、該検知手段により２つ以上の記録媒体が検知された場合には、第１番目の記録媒体に対応する第１加入者識別情報、および新たに検知された記録媒体に対応する第２加入者識別情報を、加入者情報を管理する加入者情報管理装置に送信する送信手段とを備える。
【００１８】
本発明の第３の側面において、本発明に係る加入者情報管理装置は、加入者情報を管理するする加入者情報管理装置であって、携帯端末から、第１加入者識別情報、および第２加入者識別情報を受信する受信手段と、前記第２加入者識別情報に対応する位置情報として、前記第１加入者識別情報の位置情報を登録する登録手段とを備える。
【００１９】
本発明の第４の側面において、本発明に係る携帯ネットワークシステムは、２つ以上の電話番号を有する携帯端末の通信状態を管理する管理手段と、前記携帯端末に対して着信があった場合に、前記通信状態に基づいて、前記携帯端末が前記電話番号のいずれかで通信中か否かを判断する判断手段と、前記判断に応じて前記着信に対する処理を行う処理手段とを備える。
【００２０】
本発明の第５の側面において、本発明に係る位置情報登録方法は、加入者情報を管理する加入者情報管理装置と携帯端末とを備えた移動体通信システムの位置情報登録方法であって、前記携帯端末において、記録媒体の装着を検知する検知ステップと、該検知ステップにより２つ以上の記録媒体が検知された場合には、第１番目の記録媒体に対応する第１加入者識別情報、および新たに検知された記録媒体に対応する第２加入者識別情報を、前記携帯端末から前記加入者情報管理装置に送信する送信ステップと、前記加入者情報管理装置において、前記第２加入者識別情報に対応する位置情報として、前記第１加入者識別情報の位置情報を登録する登録ステップとを備える。
【００２１】
本発明の第６の側面において、本発明に係る呼制御方法は、２つ以上の電話番号を有する携帯端末の通信状態を管理する管理手段を備えた携帯ネットワークシステムにおける呼制御方法であって、前記携帯端末に対して着信があった場合に、前記通信状態に基づいて、前記携帯端末が前記電話番号のいずれかで通信中か否かを判断する判断ステップと、前記判断に応じて前記着信に対する処理を行う処理ステップとを備える。
【００２２】
このように、携帯端末は、記録媒体（例えば、ＳＩＭカード等のＩＣカード等）の装着を検知する検知手段（ＳＩＭカード＆キーインタフェースＩ／Ｆ、ＣＰＵ等が対応する）と、検知手段により２つ以上の記録媒体が検知された場合には、第１番目の記録媒体に対応する第１加入者識別情報（例えばＩＭＳＩ、ＴＭＳＩ等）、および新たに検知された記録媒体に対応する第２加入者識別情報を、ビジターロケーションレジスタ（ＶＬＲ）等の、加入者情報を管理する加入者情報管理装置に送信する送信手段とを備え、加入者情報管理装置は、携帯端末から、第１加入者識別情報、および第２加入者識別情報を受信する受信手段と、第２加入者識別情報に対応する位置情報として、第１加入者識別情報の位置情報を登録する登録手段を備える。これにより、携帯端末は、複数のＳＩＭカードを同時に装着することができ、その状態を移動体通信網に登録することができるので、それぞれのＳＩＭカードに対応する電話番号に対して発信、着信を行うことができる。また、携帯端末のユーザは、操作部によるキー操作により、発信時に用いるＳＩＭカードあるいはＳＩＭカードに対応する電話番号を選択するようにしてもよい。
【００２３】
また、携帯ネットワークシステムは、２つ以上の電話番号を有する携帯端末の通信状態を管理する管理手段と、携帯端末に対して着信があった場合に、通信状態に基づいて、携帯端末が電話番号のいずれかで通信中か否かを判断する判断手段と、判断に応じて着信に対する処理を行う処理手段とを備えることにより、携帯端末に関する呼制御を行うことができる。
【００２４】
【発明の実施の形態】
以下、図面を参照しながら、本発明の実施形態について詳細に説明する。
【００２５】
図３は、本発明が適用される移動体通信システムのシステム構成の一例を示す図であり、移動体通信システムの構成のうち本発明に関係する部分のみを概念的に示している。ここで、図１と同一の符号を付した部分は、同一の機能を有するため説明を省略する。
【００２６】
移動体通信システムは、少なくとも、携帯端末１００と基地局ＢＳＳ２０と携帯ネットワーク３０とから構成される。携帯端末１００は、基地局ＢＳＳ２０と無線通信を行う機能を有し、それぞれ固有のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を格納した複数のＳＩＭカード１２を脱着可能に構成されている。
【００２７】
図３において、Ｂ個人がＡ法人契約のＳＩＭカード１２−１とＢ個人契約のＳＩＭカード１２−２の２枚のＳＩＭカード１２を所有している場合において、携帯端末１０−１にＳＩＭカード１２−１およびＳＩＭカード１２−２を装着してＡ法人内で使用している。ここで、Ａ法人は、当該携帯ネットワークで設定している位置情報ＩＤ（ＬＡＩ：Ｌｏｃａｔｉｏｎ  Ａｒｅａ  Ｉｄｅｎｔｉｆｉｃａｔｉｏｎ）１のエリア内に存在している。
【００２８】
図４は、本発明におけるＨＬＲおよびＶＬＲの各データベースに格納されている情報を示す図である。
【００２９】
ＨＬＲのデータベースには、少なくとも、電話番号と、加入者情報と、携帯端末の在圏エリアの対象ＶＬＲとが格納されている。一方、ＶＬＲのデータベースには、少なくとも、電話番号と、加入者情報と、位置情報ＩＤ（ＬＡＩ）と、通信状態とが格納されている。ここで、ＨＬＲのデータベースに格納される加入者情報には、加入者識別情報（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）と、在圏エリアのＶＬＲ情報を共有するＩＭＳＩとが含まれる。１台の携帯端末１００に複数のＳＩＭカード１２が装着される場合には、２番目以降のＳＩＭカード１２に割り当てられたＩＭＳＩの在圏エリアのＶＬＲについて、１番目のＩＭＳＩの在圏エリアのＶＬＲ情報を参照するため、在圏エリアのＶＬＲ情報を共有するＩＭＳＩとして１番目のＩＭＳＩ１が登録される。また、ＶＬＲのデータベースに格納される加入者情報には、加入者識別情報（ＩＭＳＩ）と、位置情報ＩＤを共有するＩＭＳＩと、ＶＬＲが管理するエリアの一時的加入者識別情報（ＴＭＳＩ：Ｔｅｍｐｏｒａｒｙ  Ｍｏｂｉｌｅ  Ｓｕｂｓｃｒｉｂｅｒ  Ｉｄｅｎｔｉｔｙ）と、位置情報ＩＤを共有するＴＭＳＩとが含まれる。１台の携帯端末１００に複数のＳＩＭカード１２が装着される場合には、２番目以降のＳＩＭカード１２に割り当てられたＩＭＳＩおよびＴＭＳＩの位置情報について、１番目のＩＭＳＩおよびＴＭＳＩの位置情報を参照するため、位置情報ＩＤを共有するＩＭＳＩとして１番目のＩＭＳＩ１が登録され、位置情報ＩＤを共有するＴＭＳＩとして１番目のＴＭＳＩ１が登録される。
【００３０】
このようにすることにより、２番目以降のＳＩＭカードの位置は、１番目のＳＩＭカードの位置と常に同じになる。また、複数のＳＩＭカードが装着された携帯端末１００の位置が変更になった場合、携帯端末１００と携帯ネットワーク３０との位置登録の通信シーケンスが１回だけで済み、２番目以降のＳＩＭカードの位置登録の通信シーケンスが不要となる。そのため、携帯ネットワーク３０の有線のリンク、および携帯ネットワーク３０と携帯端末１００との間のエアの無駄な使用を減少させることができる。
【００３１】
なお、ＶＬＲのデータベースにおいて、いずれかの電話番号の通信状態が通話中の場合には、他の電話番号の通信状態はトーキ接続となる。
【００３２】
例えば、図３に示す例においては、例えば、図４に示すようにデータベースに情報が格納される。
【００３３】
そして、携帯ネットワーク３０において、電話番号毎に通話記録（通話開始および終了時刻等）が一時保持され、その後携帯ネットワーク３０から料金システムに対して、電話番号と通話記録が送信されてそれぞれの電話番号毎に料金計算される。
【００３４】
携帯ネットワーク３０のＭＳＣ４０は、携帯端末１００に対して着信があった場合、ＶＬＲ５０と通信を行い（ＶＬＲ５０はＭＳＣ４０の一部としてもよい）、携帯端末１００がいずれかの電話番号で通信中か否かを判断し、その判断に応じて着信に対する処理を行う。
【００３５】
本実施形態においては、ＶＬＲ５０のデータベースにおいて携帯端末１００の各電話番号の通信状態を管理している。ＭＳＣ４０は、携帯端末１００に着信があった場合、いずれかの電話番号の通信状態が通信中のときには、呼接続処理を行わず、トーキ接続処理を行って発信元の端末に接続できない旨を知らせる。本実施形態においてはトーキ接続処理を行うようにしているが、それ以外の処理を行うようにしてもよい。一方、どの電話番号の通信状態も通信中でないときには呼接続処理を行う。
【００３６】
図５は、本発明が適用される携帯端末１００の構成の一例を示す図であり、携帯端末１００の構成のうち本発明に関係する部分のみを概念的に示している。
【００３７】
携帯端末１００は、少なくとも、送受信アンテナ１０２と送受共用器１０４とＰＡ部１０６と変調回路部１０８とフィルタ１１０とチャネルコーデック１１２と音声コーデック１１４とスピーカ１１６とマイク１１８と受信／復調回路部１２０とシンセサイサ部１２２とイコライザ１２４とＣＰＵ１２６とフラッシュロムＦｌａｓｈ  ＲＯＭ１２８とＳラムＳＲＡＭ１３０とＥＥＰロムＥＥＰＲＯＭ１３２とＬＣＤ１３４と音声メモ１３６と電源制御部１３８とＳＩＭカード＆キーインタフェースＩ／Ｆ１４０とＳＩＭカード１４２、１４４と操作部１４６とから構成される。送受信アンテナ１０２は、送受共用器１０４に接続され、用いられる移動通信方式の使用周波数帯域において良好なアンテナ放射効率をもった送受信アンテナとしての機能を有する。送受共用器１０４は、ＰＡ部１０６および受信／復調回路部１２０に接続され、送受信の共用器としての機能を有する。ＰＡ部１０６は、送受共用器１０４および変調回路部１０８に接続され、送信波を増幅するためのパワーアンプとしての機能を有する。変調回路部１０８は、ＰＡ部１０６およびフィルタ１１０に接続され、信号の変調回路としての機能を有する。フィルタ１１０は、変調回路部１０８およびチャネルコーデック１１２に接続され、用いられる移動通信方式に対応した信号のフィルタとしての機能を有する。チャネルコーデック１１２は、フィルタ１１０および音声コーデック１１４に接続され、チャネルコーデック機能を有する。音声コーデック１１４は、スピーカ１１６、マイク１１８およびチャネルコーデック１１２に接続され、利用する移動体通信網に対応した音声符号化コーディックとしての機能を有する。スピーカ１１６は、音声コーデック１１４に接続され、音声情報を音声出力する機能を有する。マイク１１８は、音声コーデック１１４に接続され、音声情報を入力する機能を有する。受信／復調回路部１２０は、送受共用器１０４、シンセサイサ部１２２およびイコライザ１２４に接続され、信号の受信および復調を行う回路としての機能を有する。シンセサイサ部１２２は、受信／復調回路部１２０および変調回路部１０８に接続され、信号の合成回路としての機能を有する。イコライザ１２４は、受信／復調回路部１２０およびチャネルコーデック１１２に接続され、音声情報を帯域別に分け特定の音を強調することができ、相手の声に合わせて高音・低音を強調し、聞きやすい声に調整する機能を有する。ＣＰＵ１２６は、携帯端末１００の各ブロックを統括的に制御する機能を有する。フラッシュロムＦｌａｓｈ  ＲＯＭ１２８は、プログラムや命令を格納するメモリ機能を有する。ＳラムＳＲＡＭ１３０は、プログラムの処理作業に用いられるメモリ機能を有する。ＥＥＰロムＥＥＰＲＯＭ１３２は、電子ボリューム情報などのメモリ機能を有する。ＬＣＤ１３４は、液晶表示機能を有する。音声メモ１３６は、音声蓄積用のメモリ機能を有する。電源制御部１３８は、各ブロックへの電源供給および充電制御を行う機能を有する。ＳＩＭカード＆キーインタフェースＩ／Ｆ１４０は、ＳＩＭカード１４２、１４４および操作部１４６に接続され、複数のＳＩＭカードおよびキー操作部のインタフェース機能を有する。ＳＩＭ��ード１４２、１４４は、加入者を識別するための情報（例えば、ＩＭＳＩ等）を格納した加入者識別モジュールカードである。操作部１４６は、電源キー、ダイヤルキー、ファンクションキー、スクロールキー等の操作を行う機能を有する。
【００３８】
このように構成された本実施の形態において、携帯端末１００は、加入者識別情報（例えばＩＭＳＩ等）を格納する記録媒体（例えば、ＳＩＭカード等のＩＣカード等）を装着を検知する検知手段（ＳＩＭカード＆キーインタフェースＩ／Ｆ１４０、ＣＰＵ１２６が対応する）と、該検知手段により２つ以上の記録媒体が検知された場合には、第１番目の記録媒体に格納された第１加入者識別情報および新たに検知された記録媒体に格納された第２加入者識別情報を、基地局ＢＳＳ２０および加入者系交換機ＭＳＣ４０を介して、ビジターロケーションレジスタＶＬＲ５０等のデータベースに送信する送信手段とを備え、データベースにおいて、第２加入者識別情報に対応する位置情報として、第１加入者識別情報の位置情報を登録する登録手段とを備える。これにより、携帯端末１００は、複数のＳＩＭカードを同時に装着することができ、その状態を移動体通信網に登録することができるので、それぞれのＳＩＭカードに対応する電話番号に対して発信、着信を行うことができる。また、携帯端末１００のユーザは、操作部１４６で発信時に用いるＳＩＭカードあるいはＳＩＭカードに対応する電話番号を選択するようにしてもよい。
【００３９】
図８は、本発明の本実施形態が適用される移動体通信システムにおいて、携帯端末１００の電源を入れた場合または別の位置登録エリアへ移動した場合の通信シーケンスの一例を示す図であり、通信シーケンスのうち本発明に関係する部分のみを概念的に示している。
【００４０】
まず、ユーザは、携帯端末１００の電源を入れるか、または新しい位置登録エリアへ移動する（ステップＳ８０２）。
【００４１】
ついで、携帯端末１００と基地局ＢＳＳ２０との間で、当該携帯ネットワークで規定している無線リンク確立シーケンスが実行される（ステップＳ８０４）。
【００４２】
ついで、携帯端末１００はビジターロケーションレジスタＶＬＲ５０に対して、在圏する基地局ＢＳＳ２０のＬＡＩの位置登録をＴＭＳＩを用いて通知する（ステップＳ８０６）。ただし、携帯端末１００にＳＩＭカードを装着する場合など、携帯端末１００にＴＭＳＩが割り当てられていない場合はＩＭＳＩを用いる。
【００４３】
ついで、携帯ネットワーク３０内においては、新しいビジターロケーションレジスタＶＬＲのエリアになった場合は、ホームロケーションレジスタＨＬＲ６０に対して位置登録更新として新ＶＬＲが通知される（ステップＳ８０８）。
【００４４】
ついで、携帯端末１００とビジターロケーションレジスタＶＬＲ５０との間で認証シーケンスおよび秘匿シーケンスが実行される（ステップＳ８１０、ステップＳ８１１）。移動通信におけるセキュリティ確保のため、移動機の不正使用防止として認証が、また、無線区間における通信情報の漏洩防止として秘匿が必要であるが、認証については、移動通信網内の認証キーと乱数によって暗号化演算を行うと共に、その乱数を移動機へ送信し、移動機内で登録されている認証キーと移動通信網から送信された乱数によって暗号化演算を行い、その結果を移動通信網に返送し、お互いの結果を照合することによって認証を行う。秘匿については、通信情報のビット列にスクランブルをかけて無線区間を伝送する。これにより、正しい認証キーを知らない第三者が通信内容を傍受しても解読することは実質的に不可能となる。
【００４５】
ついで、秘匿シーケンスの後、ＶＬＲから新しいＴＭＳＩが割り当てられ、携帯端末１００に新しいＴＭＳＩが記憶される（ステップＳ８１２）。その後、携帯端末１００に新しいＴＭＳＩが記憶が完了したことをＶＬＲに通知する（ステップＳ８１３）。
【００４６】
ついで、ホームロケーションレジスタＨＬＲ６０は、データベースに新しいＶＬＲが登録された後、ビジターロケーションレジスタＶＬＲ５０に対して位置登録更新の応答を返信する（ステップＳ８１４）。
【００４７】
ついで、ビジターロケーションレジスタＶＬＲ５０は、携帯端末１００に対して位置登録応答を返信する（ステップＳ８１６）。
【００４８】
ついで、携帯端末１００とビジターロケーションレジスタＶＬＲ５０との間でリンク切断シーケンスが実行される（ステップＳ８１８）。
【００４９】
これにより、携帯端末１００の電源を入力されたこと、または別の位置登録エリアへ移動したことを携帯ネットワーク３０に識別させることができる。
【００５０】
図６は、本発明の本実施形態が適用される移動体通信システムにおいて、ＳＩＭカードを携帯端末１００に装着する場合の通信シーケンスの一例を示す図であり、通信シーケンスのうち本発明に関係する部分のみを概念的に示している。
【００５１】
まず、ユーザは、携帯端末１００にＳＩＭカード１２を装着する（ステップＳ６０２）。
【００５２】
ついで図８において説明した携帯電話１００の電源を入れた場合または別の位置登録エリアへ移動した場合の通信シーケンスにより携帯ネットワークに位置登録がされる。本シーケンスの中（ステップＳ６０４とステップＳ６１４との間）の後述する通信シーケンスにより、携帯端末１００に新たにＳＩＭカード１が装着されたことを携帯ネットワーク３０に識別させる。
【００５３】
ついで、携帯端末１００はビジターロケーションレジスタＶＬＲ５０に対して、ＩＭＳＩの装着を、一時的に使用する移動用加入者識別情報であるＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）を用いて通知する（ステップＳ６０６）。ここで、携帯ネットワークの加入者識別情報はＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）として、唯一無二（ｕｎｉｑｕｅ）に割当られるが、ＴＭＳＩは１つの位置情報エリア内で唯一無二（ｕｎｉｑｕｅ）に割当られ、位置情報エリア在圏の移動機の加入者識別情報として、ＩＭＳＩに代わって一時的に使用される。ＴＭＳＩはＩＭＳＩに比べｂｉｔ長が短いためエア上効率的に利用でき、また、ＩＭＳＩに代わって使用されるためセキュリティが保持できる。
【００５４】
ついで、ビジターロケーションレジスタＶＬＲ５０は、携帯端末１００に対してＩＭＳＩの装着応答を返信する（ステップＳ６１２）。
【００５５】
これにより、携帯端末１００に新たなＳＩＭカード１２が装着されたことを携帯ネットワーク３０に識別させることができる。
【００５６】
図７は、本発明の本実施形態が適用される移動体通信システムにおいて、ＳＩＭカードを携帯端末１００から取り外す場合の通信シーケンスの一例を示す図であり、通信シーケンスのうち本発明に関係する部分のみを概念的に示している。
【００５７】
まず、ユーザは、携帯端末１００からＳＩＭカード１２を取り外す（ステップＳ７０２）。
【００５８】
ついで、携帯端末１００と基地局ＢＳＳ２０との間で、当該携帯ネットワークで規定している無線リンク確立シーケンスが実行される（ステップＳ７０４）。
【００５９】
ついで、携帯端末１００はビジターロケーションレジスタＶＬＲ５０に対して、ＩＭＳＩの取り外しを、ＴＭＳＩを用いて通知する（ステップＳ７０６）。
【００６０】
ついで、携帯ネットワーク３０内においては、ビジターロケーションレジスタＶＬＲ５０でＴＭＳＩはＩＭＳＩに変換され、ビジターロケーションレジスタＶＬＲ５０からホームロケーションレジスタＨＬＲ６０に対してＩＭＳＩの登録解除が通知される（ステップＳ７０８）。
【００６１】
ついで、ホームロケーションレジスタＨＬＲ６０はデータベースの内容を更新し、ビジターロケーションレジスタＶＬＲ５０に対してＩＭＳＩの登録解除応答を返信する（ステップＳ７１０）。
【００６２】
ついで、ビジターロケーションレジスタＶＬＲ５０と基地局ＢＳＳ２０との間で信号クリアシーケンスが実行される（ステップＳ７１２）。
【００６３】
これにより、携帯端末１００からＳＩＭカード１２が取り外されたことを携帯ネットワーク３０に識別させることができる。
【００６４】
図９は、本発明の本実施形態が適用される移動体通信システムにおいて、２枚目のＳＩＭカードを携帯端末１００に装着した場合の通信シーケンスの一例を示す図であり、通信シーケンスのうち本発明に関係する部分のみを概念的に示している。
【００６５】
まず、ユーザは、携帯端末１００の電源を入れるか、または新しい位置登録エリアへ移動する（ステップＳ９０２）。
【００６６】
ついで、図８に示した手順により、既に装着済みの１枚目のＳＩＭカードに対して、位置登録更新が行われる（ステップＳ９０４）。
【００６７】
ついで、携帯端末１００に２枚目のＳＩＭカードが装着される（ステップＳ９０６）。
【００６８】
ついで、携帯端末１００と基地局ＢＳＳ２０との間で、当該携帯ネットワークで規定している無線リンク確立シーケンスが実行される（ステップＳ９０８）。
【００６９】
ついで、携帯端末１００はビジターロケーションレジスタＶＬＲ５０に対して、２枚目のＳＩＭカードの装着を、位置情報ＩＤ共有ＴＭＳＩ（１枚目のＴＭＳＩ）と共にＩＭＳＩを用いて通知する（ステップＳ９１０）。
【００７０】
ついで、携帯ネットワーク３０内においては、ビジターロケーションレジスタＶＬＲ５０で位置情報ＩＤ共有ＴＭＳＩ（１枚目のＴＭＳＩ）は位置情報ＩＤ共有ＩＭＳＩに変換され、ビジターロケーションレジスタＶＬＲ５０からホームロケーションレジスタＨＬＲ６０に対して、２枚目のＳＩＭカードのＩＭＳＩのＩＭＳＩ２と共に通知する（ステップＳ９１２）。
【００７１】
ついで、携帯端末１００とビジターロケーションレジスタＶＬＲ５０との間で認証シーケンスおよび秘匿シーケンスが実行される（ステップＳ９１４、ステップＳ９１５）。
【００７２】
ついで、秘匿シーケンスの後、ＶＬＲから新しいＴＭＳＩ２が割り当てられ、携帯端末１００に新しいＴＭＳＩ２が記憶される（ステップＳ９１６）。その後、携帯端末１００に新しいＴＭＳＩ２が記憶が完了したことをＶＬＲに通知する（ステップＳ９１７）。
【００７３】
ついで、２枚目のＩＭＳＩ２に対する位置情報ＩＤ共有ＩＭＳＩおよび対象ＶＬＲがホームロケーションレジスタＨＬＲ６０に登録された後に、登録応答の通知をビジターロケーションレジスタＶＬＲ５０に返信する（ステップＳ９１８）。
【００７４】
ついで、ビジターロケーションレジスタＶＬＲ５０は、携帯端末１００に対して２枚目のＳＩＭカード装着登録応答を返信する（ステップＳ９２０）。
【００７５】
ついで、携帯端末１００とビジターロケーションレジスタＶＬＲ５０との間でリンク切断シーケンスが実行される（ステップＳ９２２）。
【００７６】
これにより、携帯端末１００に２枚目のＳＩＭカードが装着されたことを携帯ネットワーク３０に識別させることができる。
【００７７】
図１０は、本発明の本実施形態が適用される移動体通信システムにおいて、図９で示した通信シーケンスにより既に携帯端末１００に複数のＳＩＭカード１２が装着されたことが携帯ネットワーク３０に識別されており、別の位置登録エリアへ移動した場合の通信シーケンスの一例を示す図であり、通信シーケンスのうち本発明に関係する部分のみを概念的に示している。
【００７８】
まず、ユーザは、携帯端末１００の電源を入れるか、または新しい位置登録エリアへ移動する（ステップＳ１００２）。
【００７９】
ついで、携帯端末１００と基地局ＢＳＳ２０との間で、当該携帯ネットワークで規定している無線リンク確立シーケンスが実行される（ステップＳ１００４）。
【００８０】
ついで、携帯端末１００はビジターロケーションレジスタＶＬＲ５０に対して、在圏する基地局ＢＳＳ２０のＬＡＩの位置登録をＴＭＳＩを用いて通知する（ステップＳ１００６）。ただし、携帯端末１００にＳＩＭカードを装着する場合など、携帯端末１００にＴＭＳＩが割り当てられていない場合はＩＭＳＩを用いる。
【００８１】
ついで、携帯ネットワーク３０内においては、新しいビジターロケーションレジスタＶＬＲのエリアになった場合は、ホームロケーションレジスタＨＬＲ６０に対して位置登録更新として新ＶＬＲが通知される（ステップＳ１００８）。
【００８２】
ついで、携帯端末１００とビジターロケーションレジスタＶＬＲ５０との間で認証シーケンスおよび秘匿シーケンスが実行される（ステップＳ１０１０、ステップＳ１０１１）。
【００８３】
ついで、秘匿シーケンスの後、ＶＬＲ５０から新しいＴＭＳＩが割り当てられ、携帯端末１００に新しいＴＭＳＩが記憶される（ステップＳ１０１２）。その後、携帯端末１００に新しいＴＭＳＩが記憶が完了したことをＶＬＲ５０に通知する（ステップＳ１０１３）。
【００８４】
ついで、ホームロケーションレジスタＨＬＲ６０は、データベースに新しいＶＬＲが登録された後、ビジターロケーションレジスタＶＬＲ５０に対して位置登録更新の応答を返信する（ステップＳ１０１４）。
【００８５】
ついで、ビジターロケーションレジスタＶＬＲ５０は、携帯端末１００に対して位置登録応答を返信する（ステップＳ１０１６）。
【００８６】
２枚目のＳＩＭカードについては、新ＴＭＳＩの割り当てのみを行えば良いので、認証シーケンス（ステップＳ１０１７）、秘匿シーケンス（ステップＳ１０１８）、新ＴＭＳＩ割り当てシーケンス（ステップＳ１０１９）、新ＴＭＳＩ割り当て完了シーケンス（ステップＳ１０２０）がＶＬＲと２枚目のＳＩＭカードの間で発生する。３枚目以降のＳＩＭカードも同様である（ステップＳ１０２１）。全てのＳＩＭカード１２へのＴＭＳＩの割り当てが完了後、携帯端末１００とビジターロケーションレジスタＶＬＲ５０との間でリンク切断シーケンスが実行される（ステップＳ１０２２）。
【００８７】
（１）携帯端末１００への着信時の課金について
携帯ネットワークにおいて、通話毎に携帯電話番号に対する通話記録（通話開始、終了等）を一時保持している。一方、発信電話番号課金については、発信者の電話番号に課金されるため、着信側の携帯端末の電話番号へは課金されない。着信電話番号課金については、ネットワーク上でサービス提供番号（例えば、フリーダイヤル番号）と着信電話番号の対応づけをおこなっており、サービス提供番号と対応づけする着信電話番号は予めＮＷ上にサービスオーダにより登録されている。そして、その着信電話番号の通話記録をもとに通常通り課金される。
【００８８】
（２）携帯端末１００からの発信時の課金について
法人業務用と個人用の用途等で通話料金の請求先を識別する場合、発信する前に法人業務用の電話番号で発信するか個人用の電話番号で発信するか選択するステップを携帯端末の画面に表示等を行う。本端末発信時の通信については、ユーザが選択した電話番号に通話料金が加算される。
【００８９】
（３）携帯端末１００が通話中の発着信について
携帯ネットワーク上のＶＬＲにおいて、図４に示すように通話毎に携帯電話番号に対する通信状態を一時保持している。携帯端末１００が通信中の場合において、通信中の電話番号または、他のＳＩＭカードで設定された電話番号に着信があり、無線区間も含めリンクに空きがない場合には、例えば、ＢＴ音を発信者に送出する、接続できない旨のガイダンスを発信者に送出する、留守番電話センターに接続する、キャッチホン契約している場合はキャッチホン接続するなど、予めユーザが契約・設定したとおりに切り替える。
【００９０】
また、携帯端末１００が通信中の場合であって、無線区間も含めリンクに空きがない場合において、通信中の電話番号または他のＳＩＭカードで設定された電話番号から発信する場合には、発信できない旨を端末画面に表示等し、ユーザに発信できないことを知らせる。
【００９１】
さらに、携帯端末１００が通信中の場合において、通信中の電話番号または他のＳＩＭカードで設定された電話番号に着信があり、無線区間も含めリンクに空きがあり複数呼の接続を許容している場合には、端末、移動通信用ＴＡ（Ｔｅｒｍｉｎａｌ  Ａｄａｐｔｅｒ）またはそれら相当の装置に複数呼接続する機能があるときには接続が可能となる。
【００９２】
さらにまた、携帯端末１００が通信中の場合において、通信中の電話番号または他のＳＩＭカードで設定された電話番号から発信する場合には、無線区間も含めリンクに空きがあり複数呼の接続を許容している場合、端末、移動通信用ＴＡまたはそれら相当の装置に複数呼接続する機能があるときには接続が可能となる。
【００９３】
さらに、携帯端末１００が通信中の場合において、通信中の電話番号または他のＳＩＭカードで設定された電話番号に着信があり、無線区間も含めリンクに空きがあった場合であって、端末、移動通信用ＴＡまたはそれら相当の装置が複数呼の接続を許容しない場合には、それらの端末等において対応する処理を行う。
【００９４】
さらにまた、携帯端末１００が通信中の場合において、通信中の電話番号または他のＳＩＭカードで設定された電話番号から発信する場合であって、無線区間も含めリンクに空きがあるが、端末、移動通信用ＴＡまたはそれら相当の装置が複数呼の接続を許容しない場合には、発信できない旨を端末画面に表示等し、ユーザに発信できないことを知らせる。
【００９５】
（４）メールについて
各携帯電話番号に対して、メールアドレスを１対１対応することは可能である。例えば、ｉモードサービス（株式会社エヌ・ティ・ティ・ドコモ（会社名）が提供する非音声サービスであって、電子メール機能やインターネットへのアクセス機能を有する。）では、携帯電話番号０９０−ＣＤＥ−ＦＧＨＩに対して０９０−ＣＤＥ−ＦＧＨＩ＠ｄｏｃｏｍｏ．ｎｅ．ｊｐ（＠マークより前の部分（アカウント）は自分の名前など自由に設定可能。）のメールアドレスが一意に設定できる。また、本端末の位置情報については、音声通信しようが，メール通信しようが同じであるため、メール利用時の携帯端末の位置情報は、ＶＬＲで携帯電話番号と対応づけしている位置情報と同じである。よって、本発明は音声通信のみについて説明したが、メール通信でも同様であり、無線区間を含めた携帯ネットワークのリンクの空き状況によって接続できる、または接続できない旨の返答メール等の呼制御を行う。音声通信と違うところは、ＢＴ音、ガイダンス等、音声の部分がメールとなることである。
【００９６】
（他の実施の形態）
上述した実施の形態においては、１つの携帯電話端末に複数のＳＩＭカードをセットすることを一例に説明したが、本発明はこの場合に限定されるものではなく、他の実施の形態においては、携帯電話は必ず１つのＳＩＭカード内の加入者識別情報等が必要であるため、ＳＩＭカード１つ分については、携帯電話と一体型でもよい。
【００９７】
上述した実施の形態においては、２枚のＳＩＭカードを携帯端末１００に装着する場合を一例に説明したが、本発明はこの場合に限定されるものではなく、３枚以上のＳＩＭカードのいずれの場合においても実施することができることは当業者にとって自明である。
【００９８】
上述した実施の形態においては、ＳＩＭカードを用いる場合を一例に説明したが、本発明はこの場合に限定されるものではなく、加入者を識別することができる情報を格納した記憶媒体であればいずれの場合においても実施することができることは当業者にとって自明である。
【００９９】
上述した実施の形態においては、各実施形態を独立に実現する場合を一例に説明したが、本発明はこの場合に限定されるものではなく、他の実施の形態においては、各実施形態を適宜組み合わせて実施することができることは当業者にとって自明である。
【０１００】
上述した実施の形態においては、携帯電話網／携帯パケット網はＰＤＣ／ＰＤＣ―Ｐ方式やＧＳＭ方式等を一例に説明したが、本発明はこの場合に限定されるものではなく、他の実施の形態においては、無線方式やネットワーク内の信号シーケンスが異なる携帯電話網／携帯パケット網等にも適用してもよい。
【０１０１】
上述した実施の形態においては、株式会社エヌ・ティ・ティ・ドコモ（会社名）のサービス、システム方式等を一例に説明したが、本発明はこの場合に限定されるものではなく、他の実施の形態においては、同様の機能を有する他社のサービス、システム方式等に適用してもよい。
【０１０２】
【発明の効果】
以上詳細に説明したように、本発明によれば、携帯端末は、記録媒体（例えば、ＳＩＭカード等のＩＣカード等）の装着を検知する検知手段（ＳＩＭカード＆キーインタフェースＩ／Ｆ、ＣＰＵ等が対応する）と、検知手段により２つ以上の記録媒体が検知された場合には、第１番目の記録媒体に対応する第１加入者識別情報（例えばＩＭＳＩ、ＴＭＳＩ等）、および新たに検知された記録媒体に対応する第２加入者識別情報を、ビジターロケーションレジスタ（ＶＬＲ）等の、加入者情報を管理する加入者情報管理装置に送信する送信手段とを備え、加入者情報管理装置は、携帯端末から、第１加入者識別情報、および第２加入者識別情報を受信する受信手段と、第２加入者識別情報に対応する位置情報として、第１加入者識別情報の位置情報を登録する登録手段を備える。これにより、携帯端末１００は、複数のＳＩＭカードを同時に装着することができ、その状態を移動体通信網に登録することができるので、それぞれのＳＩＭカードに対応する電話番号に対して発信、着信および料金請求することができる。
【０１０３】
また、携帯ネットワークシステムは、２つ以上の電話番号を有する携帯端末の通信状態を管理する管理手段と、携帯端末に対して着信があった場合に、通信状態に基づいて、携帯端末が電話番号のいずれかで通信中か否かを判断する判断手段と、判断に応じて着信に対する処理を行う処理手段とを備えることにより、携帯端末に関する呼制御を行うことができる。
【図面の簡単な説明】
【図１】従来技術におけるＳＩＭカードを用いる携帯端末を使用する移動体通信システムの概念を示す図である。
【図２】従来技術におけるＨＬＲおよびＶＬＲの各データベースに格納されている情報を示す図である。
【図３】本発明が適用される移動体通信システムのシステム構成の一例を示す図である。
【図４】本発明におけるＨＬＲおよびＶＬＲの各データベースに格納されている情報を示す図である。
【図５】本発明が適用される携帯端末の構成の一例を示す図である。
【図６】本発明の実施形態が適用される移動体通信システムにおいて、ＳＩＭカードを携帯端末に装着する場合の通信シーケンスの一例を示す図である。
【図７】本発明の実施形態が適用される移動体通信システムにおいて、ＳＩＭカードを携帯端末から取り外す場合の通信シーケンスの一例を示す図である。
【図８】本発明の実施形態が適用される移動体通信システムにおいて、携帯端末の電源を入れた場合または別の位置登録エリアへ移動した場合の通信シーケンスの一例を示す図である。
【図９】本発明の実施形態が適用される移動体通信システムにおいて、２枚目のＳＩＭカードを携帯端末に装着した場合の通信シーケンスの一例を示す図である。
【図１０】本発明の本実施形態が適用される移動体通信システムにおいて、図９で示した通信シーケンスにより既に携帯端末に複数のＳＩＭカードが装着されたことが携帯ネットワークに識別されており、別の位置登録エリアへ移動した場合の通信シーケンスの一例を示す図である。
【符号の説明】
１０  携帯端末
１２  ＳＩＭカード
２０  基地局ＢＳＳ
３０  携帯ネットワーク
４０  加入者系交換機ＭＳＣ
５０  ビジターロケーションレジスタＶＬＲ
６０  ホームロケーションレジスタＨＬＲ
１００  携帯端末
１０２  送受信アンテナ
１０４  送受共用器
１０６  ＰＡ部
１０８  変調回路部
１１０  フィルタ
１１２  チャネルコーデック
１１４  音声コーデック
１１６  スピーカ
１１８  マイク
１２０  受信／復調回路部
１２２  シンセサイサ部
１２４  イコライザ
１２６  ＣＰＵ
１２８  フラッシュロムＦｌａｓｈ  ＲＯＭ
１３０  ＳラムＳＲＡＭ
１３２  ＥＥＰロムＥＥＰＲＯＭ
１３４  ＬＣＤ
１３６  音声メモ
１３８  電源制御部
１４０  ＳＩＭカード＆キーインタフェースＩ／Ｆ
１４２、１４４  ＳＩＭカード
１４６  操作部
【図１】
0003612038.tif 000002
【図２】
0003612038.tif 000003
【図３】
0003612038.tif 000004
【図４】
0003612038.tif 000005
【図５】
0003612038.tif 000006
【図６】
0003612038.tif 000007
【図７】
0003612038.tif 000008
【図８】
0003612038.tif 000009
【図９】
0003612038.tif 000010
【図１０】
0003612038.tif 000011